(57)【要約】 【課題】  分割皿部同士の接合部から凹部内に溜まったどべや水等がこぼれて、支持台やろくろ本体が汚れてしまう。【解決手段】  第１分割皿部４１の外側面のボス部４５と第２分割皿部５１の外側面の係合部５５が係合されるので、第１分割皿部４１と第２分割皿部５１の接合部からどべや水等がどべ受けの外部に漏れにくくなる。また、第１分割皿部４１のボス部４５と第２分割皿部５１の係合部５５が弾性変形しながら係合されるので、ボス部４５と係合部５５の結合部が経時的に磨耗により磨り減るということも低減でき、第１分割皿部４１と第２分割皿部５１の結合部が緩くならず、第１分割皿部４１と第２分割皿部５１の接合部分の隙間が広がることもない。これにより、第１分割皿部４１と第２分割皿部５１の接合部からどべや水等がどべ受けの外部に漏れにくくなる。【選択図】    図５
2011206925.tif 000002
【特許請求の範囲】
【請求項１】
陶芸用ろくろのターンテーブルの下方及び側方の周囲を覆うよう配置されるどべ受けであって、
周方向に分割され、どべ溜め可能な凹部をそれぞれ有し、水平移動によって互いに着脱自在に連結可能な複数の分割皿部を備え、
前記分割皿部は、２つからなり、
外側面にボス部が形成された第１分割皿部と、
前記ボス部に対応する外側面の径方向位置に、前記ボス部側に開口し前記ボス部に係合可能な係合部が形成された第２分割皿部と、を有し、
前記第２分割皿部の係合部は、前記第１分割皿部のボス部に弾性変形しながら係合することを特徴とする陶芸用ろくろのどべ受け。
【請求項２】
陶芸用ろくろのターンテーブルの下方及び側方の周囲を覆うよう配置されるどべ受けであって、
周方向に分割され、どべ溜め可能な凹部をそれぞれ有し、水平移動によって互いに着脱自在に連結可能な複数の分割皿部を備え、
前記分割皿部は、偶数個からなり、
外側面にボス部が形成されたボス付分割皿部と、
前記ボス部に対応する外側面の径方向位置に、前記ボス部側に開口し前記ボス部に係合可能な係合部が形成された係合付分割皿部とを同数ずつ有し、
前記係合付分割皿部の係合部は、前記ボス付分割皿部のボス部に弾性変形しながら係合することを特徴とする陶芸用ろくろのどべ受け。
【請求項３】
陶芸用ろくろのターンテーブルの下方及び側方の周囲を覆うよう配置されるどべ受けであって、
周方向に分割され、どべ溜め可能な凹部をそれぞれ有し、水平移動によって互いに着脱自在に連結可能な複数の分割皿部を備え、
前記分割皿部はそれぞれ、一方にボス部が外側面に形成されるとともに、他方に前記ボス部に係合可能な係合部が外側面に形成され、
前記係合部は、前記ボス部に弾性変形しながら係合することを特徴とする陶芸用ろくろのどべ受け。
【請求項４】
前記ボス部及び前記係合部は、前記分割皿部の底面周方向端部に設けられ、
前記ボス部は、下方に延びて形成されている、請求項１から３のいずれかに記載の陶芸用ろくろのどべ受け。
【請求項５】
前記ボス部は、円柱形であり、
前記係合部は、前記ボス部の円周面を左右から挟持しながら係合する請求項１に記載の陶芸用ろくろのどべ受け。
【請求項６】
前記ボス部と前記係合部とが係合した状態で、前記ボス部を有する分割皿部は、前記係合部を有する分割皿部の上面と重なり合う重合部とを有し、
該ボス部は、前記重合部に設けられていることを特徴とする請求項１〜５のいずれかに記載の陶芸用ろくろのどべ受け。
【請求項７】
ターンテーブルと、
前記ターンテーブルを回転駆動するためのモータと、
前記モータを支持し、前記モータが取り付けられる支持台と、
前記支持台に取り付けられる請求項１から６のいずれかに記載のどべ受けと、
を備えた陶芸用ろくろ。
【発明の詳細な説明】
【技術分野】
【０００１】
本発明は、陶芸用ろくろのどべ受けおよびそれを備えた陶芸用ろくろに関し、詳しくは、陶芸用ろくろのターンテーブルの下方及び側方の周囲を覆うよう配置されるどべ受けおよびそれを備えた陶芸用ろくろに関する。
【背景技術】
【０００２】
従来、陶芸用ろくろとして、たとえば、陶芸用ろくろのターンテーブルの下方及び側方の周囲を覆うよう配置されるどべ受けであって、周方向に分割され、どべ溜め可能な凹部をそれぞれ有し、水平移動によって互いに着脱自在に連結可能な複数の分割皿部を備え、分割皿部は、２つからなり、ボス部が凹部内に形成された第１分割皿部と、ボス部に対応する径方向位置に、ボス部側に開口しボス部に係合可能な係合凹部が凹部内に形成された第２分割皿部とを有している陶芸用ろくろが知られている（たとえば、特許文献１）。
【先行技術文献】
【特許文献】
【０００３】
【特許文献１】特開２００５−７４８０１号公報
【発明の概要】
【発明が解決しようとする課題】
【０００４】
しかしながら従来の陶芸用ろくろでは、どべ溜め可能な凹部内に設けられたボス部（第１分割皿部）と係合凹部（第２分割皿部）が係合するタイプであるので、その係合部がどべ等で磨耗し、結合力が緩くなりどべ受け同士の接合部分の隙間が広がることにより、第１分割皿部と第２分割皿部の接合部から凹部内に溜まったどべや水等がこぼれて、支持台やろくろ本体が汚れてしまう場合があった。
【０００５】
本発明は上記問題点に鑑みてなされたもので、長期間使用しても分割皿部の接合部からどべや水等がこぼれない陶芸用ろくろのどべ受けおよびそれを備えた陶芸用ろくろを提供することを目的とする。
【課題を解決するための手段】
【０００６】
上記課題を解決し上記目的を達成するために、本発明のうち第１の態様に係るものは、陶芸用ろくろのターンテーブルの下方及び側方の周囲を覆うよう配置されるどべ受けであって、周方向に分割され、どべ溜め可能な凹部をそれぞれ有し、水平移動によって互いに着脱自在に連結可能な複数の分割皿部を備え、分割皿部は、２つからなり、外側面にボス部が形成された第１分割皿部と、ボス部に対応する外側面の径方向位置に、ボス部側に開口しボス部に係合可能な係合部が形成された第２分割皿部と、を有し、第２分割皿部の係合部は、第１分割皿部のボス部に弾性変形しながら係合することを特徴とする。
【０００７】
本発明によれば、複数の分割皿部は、連結状態ではターンテーブルの下方及び側方を覆うように配置されているため、ターンテーブルの回転駆動により外周側に飛び散ったり落下したりしたどべや水等を受けることができる。また、各分割皿部は、分割してろくろ本体から取り外してそれぞれ洗浄できるとともに、再度連結してろくろ本体に取り付けることができる。そして、この陶芸用ろくろのどべ受けでは、このような分割及び連結の作業において、各分割皿部を互いに水平移動させることで分割及び連結できるので、凹部に溜まったどべや水等をこぼすといったおそれがない。具体的に、第１及び第２分割皿部は、水平移動に伴って係合部がボス部に係合することで連結される。一方、第１及び第２分割皿部が連結状態にある場合も、水平移動に伴って係合部がボス部から離れることで分割される。このように、簡単な構成によって、水平移動による分割及び連結が可能になる。
【０００８】
また、ボス部を第１分割皿部の内側面に設け、係合部を第２分割皿部の内側面に設け、それらを連結させた場合には、その結合部（ボス部や係合部）がどべ等による磨耗で結合力が緩くなり、分割皿部同士の接合部分の隙間が広がることにより、この隙間からどべや水等がどべ受けの外部に漏れたりすることもあるが、本発明によれば、第１分割皿部の外側面のボス部と第２分割皿部の外側面の係合部が係合されるので、第１分割皿部と第２分割皿部の接合部からどべや水等がどべ受けの外部に漏れにくくなる。また、第１分割皿部のボス部と第２分割皿部の係合部が弾性変形しながら係合されるので、ボス部と係合部の結合部が経時的に磨耗により磨り減るということも低減でき、第１分割皿部と第２分割皿部の結合が緩くならず、分割皿部同士の接合部分の隙間が広がることもない。これにより、第１分割皿部と第２分割皿部の接合部からどべや水等がどべ受けの外部に漏れにくくなる。
【０００９】
本発明のうち第２の態様に係るものは、陶芸用ろくろのターンテーブルの下方及び側方の周囲を覆うよう配置されるどべ受けであって、周方向に分割され、どべ溜め可能な凹部をそれぞれ有し、水平移動によって互いに着脱自在に連結可能な複数の分割皿部を備え、分割皿部は、偶数個からなり、外側面にボス部が形成されたボス付分割皿部と、ボス部に対応する外側面の径方向位置に、ボス部側に開口しボス部に係合可能な係合部が形成された係合付分割皿部とを同数ずつ有し、係合付分割皿部の係合部は、ボス付分割皿部のボス部に弾性変形しながら係合することを特徴とする。
【００１０】
本発明によれば、複数の分割皿部は、連結状態ではターンテーブルの下方及び側方を覆うように配置されているため、ターンテーブルの回転駆動により外周側に飛び散ったり落下したりしたどべや水等を受けることができる。また、各分割皿部は、分割してろくろ本体から取り外してそれぞれ洗浄できるとともに、再度連結してろくろ本体に取り付けることができる。そして、この陶芸用ろくろのどべ受けでは、このような分割及び連結の作業において、各分割皿部を互いに水平移動させることで分割及び連結できるので、凹部に溜まったどべや水等をこぼすといったおそれがない。具体的に、ボス付分割皿部及び係合付分割皿部は、水平移動に伴って係合部がボス部に係合することで連結される。一方、ボス付分割皿部及び係合付分割皿部が連結状態にある場合も、水平移動に伴って係合部がボス部から離れることで分割される。このように、簡単な構成によって、水平移動による分割及び連結が可能になる。
【００１１】
また、ボス部をボス付分割皿部の内側面に設け、係合部を係合付分割皿部の内側面に設け、それらを連結させた場合には、その結合部（ボス部や係合部）がどべ等による磨耗で結合力が緩くなり、分割皿部同士の接合部分の隙間が広がることにより、この隙間からどべや水等がどべ受けの外部に漏れたりすることもあるが、本発明によれば、ボス付分割皿部の外側面のボス部と係合付分割皿部の外側面の係合部が係合されるので、ボス付分割皿部と係合付分割皿部の接合部からどべや水等がどべ受けの外部に漏れにくくなる。また、ボス付分割皿部のボス部と係合付分割皿部の係合部が弾性変形しながら係合されるので、ボス部と係合部の結合部が経時的に磨耗により磨り減るということも低減でき、ボス付分割皿部と係合付分割皿部の結合が緩くならず、分割皿部同士の接合部分の隙間が広がることもない。これにより、ボス付分割皿部と係合付分割皿部の接合部からどべや水等がどべ受けの外部に漏れにくくなる。
【００１２】
本発明のうち第３の態様に係るものは、陶芸用ろくろのターンテーブルの下方及び側方の周囲を覆うよう配置されるどべ受けであって、周方向に分割され、どべ溜め可能な凹部をそれぞれ有し、水平移動によって互いに着脱自在に連結可能な複数の分割皿部を備え、分割皿部はそれぞれ、一方にボス部が外側面に形成されるとともに、他方にボス部に係合可能な係合部が外側面に形成され、係合部は、ボス部に弾性変形しながら係合することを特徴とする。
【００１３】
本発明によっても、本発明の第１の態様の効果および第２の態様の効果と同様の効果を有する。
【００１４】
本発明のうち第４の態様に係るものは、第１〜３のいずれか態様に係る陶芸用ろくろのどべ受けであって、ボス部及び係合部は、分割皿部の底面周方向端部に設けられ、ボス部は、下方に延びて形成されている。
【００１５】
本発明によれば、ボス部及び係合部が分割皿部の底面周方向端部に設けられているので、分割及び連結作業が容易に行うことができるとともに、分割皿部を安定して結合することができる。
【００１６】
本発明のうち第５の態様に係るものは、第１の態様に係る陶芸用ろくろのどべ受けであって、ボス部は、円柱形であり、係合部は、ボス部の円周面を左右から挟持しながら係合する。
【００１７】
本発明によれば、ボス部が円柱形であり、係合部がボス部の円周面を左右から挟持しながら係合されているので、ボス部と係合部とを強固に結合できるとともに、ボス部と係合部により結合されている分割皿部の両端を持ってスムーズかつ容易に着脱することができる。
【００１８】
本発明のうち第６の態様に係るものは、第１〜５の態様に係る陶芸用ろくろのどべ受けであって、ボス部と係合部とが係合した状態で、ボス部を有する分割皿部は、係合部を有する分割皿部の上面と重なり合う重合部とを有し、該ボス部は、重合部に設けられていることを特徴とする。
【００１９】
本発明によれば、ボス部と係合部とが係合した状態で、ボス部を有する分割皿部が係合部を有する分割皿部の上面と重なり合い、その重なり合った重合部にボス部が設けられているので、分割皿部同士の接合部が重合部により覆われ、分割皿部の接合部からどべや水等がどべ受けの外部に漏れにくくなる。
【００２０】
本発明のうち第７の態様に係るものは、第１〜６の態様に係るどべ受けを備えた陶芸用ろくろであって、ターンテーブルと、ターンテーブルを回転駆動するためのモータと、モータを支持し、モータが取り付けられる支持台と、支持台に取り付けられるどべ受けと、を備えている。
【００２１】
本発明によれば、第１〜第７の態様のどべ受けが有する効果を奏することができる陶芸用ろくろを提供することができる。
【発明の効果】
【００２２】
本発明によれば、分割皿部の外側面のボス部と分割皿部の外側面の弾力性を有する係合部が係合されるので、長期間使用しても分割皿部の接合部からどべや水等がこぼれることを防止することができる。
【図面の簡単な説明】
【００２３】
【図１】本発明の一実施形態における陶芸用ろくろの側面図である。
【図２】（ａ）  同陶芸用ろくろの第１分割皿部の上面図である。  （ｂ）  同第１分割皿部の下面図である。  （ｃ）  同第１分割皿部の側面図である。
【図３】（ａ）  本発明の一実施形態における第２分割皿部の上面図である。  （ｂ）  同第２分割皿部の下面図である。  （ｃ）  同第２分割皿部の側面図である。
【図４】（ａ）  第１分割皿部と第２分割皿部とが係合する前の上面斜視図である。  （ｂ）  第１分割皿部と第２分割皿部とが係合する前の下面斜視図である。  （ｃ）  第１分割皿部と第２分割皿部とが係合する前の部分拡大図である。
【図５】（ａ）  第１分割皿部と第２分割皿部とが係合した状態の上面斜視図である。  （ｂ）  第１分割皿部と第２分割皿部とが係合した状態の下面斜視図である。  （ｃ）  第１分割皿部と第２分割皿部とが係合した状態の部分拡大図である。
【発明を実施するための形態】
【００２４】
［陶芸用ろくろの全体構成］
まず、本発明の陶芸用ろくろの一実施形態について図面を参照にしながら説明する。ここで、図１は、本発明の一実施形態における陶芸用ろくろの側面図である。
【００２５】
図１に示すように、陶芸用ろくろ１は、ターンテーブル３と、モータ５と、支持台７と、どべ受け４とを備えている。
【００２６】
ターンテーブル３は、円板状部材であり、上面側において作業が行われる。ターンテーブル３は、ここでは、モータ５の回転軸（図示せず）に直接装着されている。
【００２７】
モータ５は、ターンテーブル３を回転駆動させるためのものであり、ここでは、ＤＤモータ、好ましくはＤＣブラシレスモータが用いられる。モータ５は、後述するように支持台７の筐体部７ｂに支持されるとともに、ターンテーブル３を上方側に支持している。
【００２８】
支持台７は、ターンテーブル３（モータ５を含む）を水平に支持するための台であり、天板部７ａと、筐体部７ｂと、脚部７ｃとを有している。天板部７ａは、平坦に形成された上面７ｄを有している。筐体部７ｂは、天板部７ａの下面側に形成されており、モータ５の他に制御装置（図示略）を内蔵している。筐体部７ｂの側面には、電源スイッチ８、正転／逆転切替つまみ１０が設けられている。脚部７ｃは、天板部７ａの下面側の３カ所に下方に延びて取り付けられている。どべ受け４は、天板部７ａの上面７ｄに取り付けられている。
【００２９】
［どべ受け］
次に、本発明の陶芸用ろくろのどべ受けについて説明する。
【００３０】
どべ受け４は、ターンテーブル３の上面から飛び散るまたは落下するどべや水等を受けるためのものである。どべ受け４は、ターンテーブル３の下方及び側方を覆うよう配置された皿状の部材であり、第１分割皿部４１と、第２分割皿部５１とを有している。ここで、図２（ａ）は第１分割皿部の上面図であり、図２（ｂ）は第１分割皿部の下面図であり、図２（ｃ）は第１分割皿部の側面図である。また、図３（ａ）は本発明の一実施形態における陶芸用ろくろの第２分割皿部の上面図であり、図３（ｂ）は第２分割皿部の下面図であり、図３（ｃ）は第２分割皿部の側面図である。
【００３１】
［第１分割皿部］
図２に示すように、第１分割皿部４１は、底面部４３と、底面部４３の外周部から上方に延びる壁部４４とを有している。底面部４３は、周方向に延びて形成されたどべ溜め用凹部４３ａを有し、どべ溜め用凹部４３ａの内周側及び周方向両側の部分は、どべや水等の漏れ防止のために上方に突出して形成されている。第１分割皿部４１の底面部４３の外側面（裏面）の周方向端部には、第２分割皿部５１との連結のためのボス部４５が形成されている。詳しくは、ボス部４５は、第１分割皿部４１の重合部４６の外側面（裏面）に設けられている。この重合部４６は、第１分割皿部４１の周方向端部に設けられ、第１分割皿部４１と第２分割皿部５１とが連結した状態で、第２分割皿部５１の上面と重なり合う。ボス部４５は、下方に延びて円筒状に形成されている。
【００３２】
［第２分割皿部］
第２分割皿部５１は、第１分割皿部４１とほぼ同様に構成されており、底面部５３及び壁部５４を有し、底面部５３は、どべ溜め用凹部５３ａを有している。第２分割皿部５１の底面部５３の外側面（裏面）の周方向端部には、第１分割皿部４１のボス部４５に係合するための係合部５５が形成されている。係合部５５は、ボス部４５に対応する外側面（裏面）の径方向位置に、連結状態での第２分割皿部５１のボス部４５側に開口するよう形成され、連結時にボス部４５を左右から挟持可能な形状に形成されている。なお、係合部５５のボス部４５と接する部分は、ボス部４５の円周面と同様の形状をしている。また、この係合部５５はＡＢＳ樹脂を材料として生成され、後述するようにボス部４５と係合する際に弾性変形をしながら係合する。
【００３３】
次に、第１分割皿部４１のボス部４５と第２分割皿部５１の係合部５５が係合する動作について説明する。図４（ａ）は第１分割皿部と第２分割皿部とが係合する前の上面斜視図であり、図４（ｂ）は第１分割皿部と第２分割皿部とが係合する前の下面斜視図であり、図４（ｃ）は第１分割皿部と第２分割皿部とが係合する前の部分拡大図である。また、図５（ａ）は第１分割皿部と第２分割皿部とが係合した状態の上面斜視図であり、図５（ｂ）は第１分割皿部と第２分割皿部とが係合した状態の下面斜視図であり、図５（ｃ）は第１分割皿部と第２分割皿部とが係合した状態の部分拡大図である。
【００３４】
陶芸ろくろ１を使用する場合は、電源スイッチ８をオンにし、筐体部７ｂに接続された操作ペダル（図示せず）を足で踏むことにより、モータ５が作動してターンテーブル３が回転駆動する。これにより、ターンテーブル３上で粘土や水等を用いて陶芸作業を行うことができる。また、この陶芸用ろくろ１では、ターンテーブル３から外周側に飛び散る若しくは落下するどべや水等は、どべ受け４によって受けられ、どべ溜め用凹部４３ａ，５３ａに溜まっていく。そして、どべ受け４は、分割して取り外すことで、どべ溜め用凹部４３ａ，５３ａに溜まったどべ等を捨て、第１及び第２分割皿部４１、５１を洗浄することができる。
【００３５】
ここで、第１及び第２分割皿部４１、５１を分割する場合は、図４及び図５に示すように、第１及び第２分割皿部４１、５１を、支持台７上で互いに離れる方向に水平移動させる。すると、係合部５５がボス部４５から外れて、これにより、どべ受け４は、２つに分割して、支持台７から取り外すことができる。このように、使用者は係合部５５を操作することなく、第１分割皿部４１と第２分割皿部５１をスムーズに取り外すことができる。
【００３６】
一方、第１及び第２分割皿部４１、５１を再度連結する場合は、まず、第１及び第２分割皿部４１、５１を、支持台７の上面７ｄに載置し、対向させて配置する。この状態で、第１及び第２分割皿部４１、５１を、互いに接近させると、ボス部４５が係合部５５に嵌合する。これにより、第１及び第２分割皿部４１、５１は、連結状態となり、どべを溜めることができる状態となる。ここで、ボス部４５と係合部５５とが係合した状態では、第１分割皿部４１の重合部４６が第２分割皿部５１の上面と重なり合い、第１分割皿部４１と第２分割皿部５１との接合部が重合部４６により覆われるので、第１分割皿部４１と第２分割皿部５１との接合部からどべや水等がどべ受けの外部に漏れにくくなっている。また、ボス部４５が係合部５５に嵌合した状態では、係合部５５が円柱形状のボス部４５の円周面を左右から挟持しながら嵌合している。係合部５５がボス部４５と接する部分は、ボス部４５の外周面（円周面）と同じ形状をしている。これにより、ボス部４５と係合部５５とを強固に結合できるとともに、ボス部４５と係合部５５により結合されている第１分割皿部４１と第２分割皿部５１のそれぞれの両端を持ってスムーズかつ容易に着脱することができる。
【００３７】
以上説明したように、本実施形態の陶芸ろくろ１では、第１分割皿部４１の外側面（裏面）のボス部４５と第２分割皿部５１の外側面（裏面）の係合部５５とが係合されるので、第１分割皿部４１と第２分割皿部５１の接合部からどべや水等がどべ受けの外部に漏れにくくなる。また、第１分割皿部４１のボス部４５と第２分割皿部５１の係合部５５が弾性変形しながら係合されるので、ボス部４５と係合部５５の結合部が経時的に磨耗により磨り減るということも低減でき、第１分割皿部４１と第２分割皿部５１の結合部が緩くならず、第１分割皿部４１と第２分割皿部５１の接合部分の隙間が広がることもない。。これにより、第１分割皿部４１と第２分割皿部５１の接合部からどべや水等がどべ受けの外部に漏れにくくなる。
【００３８】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される
【００３９】
次に、本発明の変形例について説明する。
［変形例］
【００４０】
（ａ）  本実施形態では、第１分割皿部４１と第２分割皿部５１の２つの分割皿部からなるどべ受け４について説明したが、これに限らず、どべ受けを３つ以上に分割されるものであってもよい。すなわち、３つ以上に分割された分割皿部を、外側面にボス部が形成されたボス付分割皿部と、ボス部に対応する外側面の径方向位置に、ボス部側に開口しボス部に係合可能な係合部が形成された係合付分割皿部と、を同数ずつ有するようにし、係合付分割皿部の係合部を、ボス付分割皿部のボス部に弾性変形しながら係合するようにしてもよい。
【００４１】
（ｂ）  本実施形態では、ボス部４５および係合部５５を分割皿部４１、５１の外側面（特に、底面外側面）に設け、ボス部４５の形状を円柱形状にし、係合部５５の内周面の形状をボス部４５と嵌合可能な形状としているが、これに限らず、ボス部および係合部の形状は第１及び第２分割皿部４１、５１を水平移動により分割及び連結できる程度のものであれば、特に限定されない。
【００４２】
（ｃ）  本実施形態では、両端にボス部４５を設けた第１分割皿部４１及び両端に係合部５５を設けた第２分割皿部５１を用いて説明したが、これに限らず、各分割皿部の両端にボス部と係合部を設けても良い。
【００４３】
（ｄ）  本実施形態では、ボス部４５を円柱形とし、係合部５５の左右のツメによりボス部４５の円周面を左右から挟持しながら係合するようにしたが、これに限らず、係合部を一方のツメにより構成し、そのツメをボス部４５の円周面に押圧して係合させるようにしてもよい。これによっても、たとえば、２つの係合部（分割皿部の底面周方向端部の２つ係合部）のツメをそれぞれ対応するボス部の円周面に押圧して係合させているので、ボス部と係合部とを強固に結合できるとともに、ボス部と係合部により結合されている分割皿部の両端を持ってスムーズかつ容易に着脱することができる。また、本実施形態および変形例（ｄ）の係合部をボス部以外の箇所に係合させてもよい。
【符号の説明】
【００４４】
１  陶芸用ろくろ
３  ターンテーブル
４  どべ受け
５  モータ
７  支持台
７ｄ  上面
８  電源スイッチ
４１  第１分割皿部
４３ａ，５３ａ  どべ溜め用凹部
４５  ボス部
４６  重合部
５１  第２分割皿部
５５  係合部
【図１】
2011206925.tif 000003
【図２】
2011206925.tif 000004
【図３】
2011206925.tif 000005
【図４】
2011206925.tif 000006
【図５】
2011206925.tif 000007